(57)【特許請求の範囲】
【請求項１】
トラクタ（Ｔ）の牽引により自在に走行する機体（ｗ）の上端側に、床面にフロアコンベア（４０）を装備せるボックス（４）を、それのフロアコンベア（４０）の搬送方向の終端側に設けた排出口（４１）が、昇降するよう該機体（ｗ）に設けた支点軸（Ｐ）により傾斜回動自在に装架し、前記機体（ｗ）の下端側で前記ボックス（４）の下方には、床面に前記ボックス（４）に設けた排出口（４１）から排出される飼料を搬送方向の始端側に受け継いで終端側の定量供給出口（ａ）に搬送する２段目のフロアコンベア（５０）を装備せしめた機体フレーム（５）を、前記フロアコンベア（４０）と平行して機体（ｗ）後方に突出する状態に装架し、かつ、該機体フレーム（５）が前記ボックス（４）に追従して前記支点軸（Ｐ）中心に傾斜回動するよう前記ボックス（４）に連繋し、その機体フレーム（５）の傾斜回動により、２段目のフロアコンベア（５０）をそれの搬送方向が略水平な方向に沿う姿勢と、搬送方向の始端側から終端側に向けて傾斜上昇する姿勢とに、切り換え自在としたことを特徴とする牽引移動式の定量供給装置。
【請求項２】
トラクタ（Ｔ）の牽引により走行自在とした車体フレーム（２）に、機体フレーム（３）を、支点軸（Ｐ）中心に前傾回動可能に支架し、その機体フレーム（３）の上部側に、床面にフロアコンベア（４０）を装備せしめたボックス（４）を装架し、下部側には、前記ボックス（４）に形成した排出口（４１）から排出される飼料を搬送方向の始端側に受け継いで終端側の定量供給出口（ａ）に搬送する２段目のフロアコンベア（５０）を、常態においては、搬送方向が略水平な方向に沿う略水平な姿勢に保持され、機体フレーム（３）の支点軸（Ｐ）中心とする前傾回動により、搬送方向の始端側から終端側に向け傾斜上昇する傾斜姿勢に変換して定量供給出口（ａ）を形成する終端部の高さ位置を上昇せしめるように組み付け支架せしめたことを特徴とする牽引移動式の定量供給装置。
【請求項３】
機体フレーム（３）の前傾回動により圃場面（ＧＬ）に前端下縁部が当接してくるボックス（４）の前面の圃場面（ＧＬ）に、ダンプカー（Ｃ）の後輪（９２）に踏み付けさせる平板状の踏み台（９０）を敷設し、その踏み台（９０）を、機体フレーム（３）の前傾回動により前端側の下部を圃場面（ＧＬ）に当接させたボックス（４）に対し一体的に連結せしめて、ダンプカー（Ｃ）の重量により傾斜させたボックス（４）を圃場面に据え付け固定するようにしたことを特徴とする請求項２記載の牽引移動式の定量供給装置。
【請求項４】
床面にフロアコンベア（４０）を装備せるボックス（４）の内部で、前記フロアコンベア（４０）の搬送方向における終端部に設けた排出口（４１）の上方位置に、該ボックス（４）の内部を左右に横切る規制パイプ（４２）を装設し、前記ボックス（４）の下方には、前記排出口（４１）から排出される飼料を搬送方向の始端側に受け継いで終端側の定量供給出口（ａ）に搬送する２段目のフロアコンベア（５０）を、該フロアコンベア（５０）の搬送方向の始端側が、前記ボックス（４）内部に装設せる規制パイプ（４２）の下方に位置するよう配位して機体（ｗ）に装架したことを特徴とする請求項１または請求項２記載の牽引移動式の定量供給装置。
【発明の詳細な説明】
【技術分野】
【０００１】
本発明は、収穫機で収穫してダンプカーの荷台に収容して移送したデントコーンなどの飼料を、成形処理するベーラー・ラッピングマシン等の処理装置に、定量的に供給する定量供給装置に関する。
【０００２】
さらに具体的にいえば、収穫機で収穫したデントコーンなどの飼料作物を、ベーラー・ラッピングマシン等の成形・梱包処理する処理装置に供給して行う処理作業において、ダンプカーの荷台に載架して、処理装置が置かれている作業場所に搬送してきた飼料作物を、処理装置に供給して処理作業を行うときの、飼料作物の処理装置に対する供給を定量的に行わすために、ダンプカーの荷台と処理装置との間に、中間的に存在するように配設しておいて、ダンプカーの荷台で搬送してきた飼料を受け入れ、その飼料が定量的に均らされて定量供給出口から放出されたところで、処理装置に供給されるように用いる牽引移動式の定量供給装置に関するものである。
【背景技術】
【０００３】
収穫機で収穫したデントコーン等の飼料を、ダンプカーの荷台に受け入れて搬送し、その飼料を、ベーラー等の処理装置に供給して、ベール等の形態に成形処理するときに、ダンプカーの荷台から一たん中間的に飼料を受け入れ、その飼料を定量的に制御して処理装置に供給するダンプボックスと呼ばれる定量供給装置がある。
【０００４】
この定量供給装置は、図１・図２に示しているように、機筐状に形成して走行輪１０により移動自在としたボックス１内の床面に、フロアコンベア１１を設け、そのコンベア１１の搬送方向の終端側の上方に回転作動するビーター１２を軸架し、床面のコンベア１１の終端部の前方位置に飼料の排出口１３を設け、その排出口１３の下方に横送りコンベア１４を設けて、その横送りコンベア１４の終端を供給出口としている構成のもので、機筐状のボックス１の前面側に設けた牽引杆１５をトラクタ（図示省略）に連結して、そのトラクタにより移動走行し、トラクタに装備せる油圧装置から油圧ホースで導く油圧により、フロアコンベア１１及びビーター１２を駆動して作動させるものである。
【０００５】
このダンプボックスと呼ばれる定量供給装置Ａは、圃場の所望の適宜場所に停止して設置される飼料作物を成形・梱包処理する細断型コンビラップマシンＢの隣側位置に、図３・図４に示しているように位置させ、牽引してきたトラクタを外し、ボックス１の前端側が接地して下降し、後端側が上昇する傾斜姿勢とし、外したトラクタを近傍位置に配置して、油圧装置を油圧ホースによりボックス１内のフロアコンベア１１及びビーター１２の駆動軸に設けた油圧モータに接続して、それらコンベア１１及びビーター１２を作動させる状態としておく。そして、この状態のところに、荷台ｃに飼料を受け入れたダンプカーＣを、図３・図４にあるように寄せてきて、荷台ｃをダンプさせて、飼料をボックス１内に投入し、その飼料をボックス１内のフロアコンベア１１、及びビーター１２の作動で、ボックス１の後端側の排出口１３に向け定量的に搬送して、その排出口１３から落下させて排出し、それを、ボックス１の後端側の下面に装架してある横送りコンベア１４に受け継がせて横方向に移送し、その横送りコンベア１４の終端部で形成する放出口をもって、定量供給出口ａとし、ここから放出される飼料を、処理装置である細断型コンビラップマシンＢの飼料の受け入れ用のホッパｂに対し供給するように用いている。
【０００６】
このとき、定量供給出口ａとなる横送りコンベア１４の終端部の高さ位置が、細断型コンビラップマシンＢのホッパｂの受け入れ口の高さ位置より低いことで、通常は、別に定置式コンベアＤを用意しておき、これを、図３・図４にあるように、ボックス１下面に組み付けた横送りコンベア１４の終端部と細断型コンビラップマシンＢのホッパｂとを継なぐように設置し、ボックス１の定量供給出口ａとなる横送りコンベア１４の終端から放出される飼料を、定置式コンベアＤに送り込み、その定置式コンベアＤで細断型コンビラップマシンＢのホッパｂに供給するようにしている。
【０００７】
このように用いるダンプボックスと呼ばれる定量供給装置Ａは、トラクタ等により牽引走行させることで移動が容易であるが、定量供給を行うための定量供給出口ａとなる横送りコンベア１４の高さ位置が低いことで、受入口となる上面側の開口部の高さ位置が、通常２ｍ程度となっている細断型コンビラップマシンＢの荷箱（ホッパ）ｂに飼料を供給する場合には、揚程を高くした定置式コンベアＤか、飼料吹上ブロワーが別に必要となる。そして、作業場所の移動の際、この別に用意する定置式コンベアＤを移動させるために、これを搭載して移動させるトラックが別に必要となることで、作業員を多くする問題がある。
【発明の概要】
【発明が解決しようとする課題】
【０００８】
本発明において解決しようとする課題は、牽引移動式の定量供給装置における飼料の定量供給出口の高さ位置を、トラクタによる牽引走行の際に、支障を生ぜしめずに、略２ｍの高さ位置になっている細断型コンビラップマシンＢのホッパの上面側の開放口より高くし得るようにする点にある。
【課題を解決するための手段】
【０００９】
本発明は、上述の課題を解決するための手段として、図５、図６にあるようにトラクタＴの牽引により自在に走行する機体ｗの上端側に、床面にフロアコンベア４０を装備せるボックス４を、それのフロアコンベア４０の搬送方向の終端側に設けた排出口４１が、昇降するよう該機体ｗに設けた支点軸Ｐにより傾斜回動自在に装架し、前記機体ｗの下端側で前記ボックス４の下方には、床面に前記ボックス４に設けた排出口４１から排出される飼料を搬送方向の始端側に受け継いで終端側の定量供給出口ａに搬送する２段目のフロアコンベア５０を装備せしめた機体フレーム５を、前記フロアコンベア４０と平行して機体ｗ後方に突出する状態に装架し、かつ、該機体フレーム５が前記ボックス４に追従して前記支点軸Ｐ中心に傾斜回動するよう前記ボックス４に連繋し、その機体フレーム５の傾斜回動により、２段目のフロアコンベア５０をそれの搬送方向が略水平な方向に沿う姿勢と、搬送方向の始端側から終端側に向けて傾斜上昇する姿勢とに、切り換え自在としたことを特徴とする牽引移動式の定量供給装置を提起するものである。
また、これに併せて、トラクタＴの牽引により走行自在とした車体フレーム２に、機体フレーム３を、支点軸Ｐ中心に前傾回動可能に支架し、その機体フレーム３の上部側に、床面にフロアコンベア４０を装備せしめたボックス４を装架し、下部側には、前記ボックス４に形成した排出口４１から排出される飼料を搬送方向の始端側に受け継いで終端側の定量供給出口ａに搬送する２段目のフロアコンベア５０を、常態においては、搬送方向が略水平な方向に沿う略水平な姿勢に保持され、機体フレーム３の支点軸Ｐ中心とする前傾回動により、搬送方向の始端側から終端側に向け傾斜上昇する傾斜姿勢に変換して定量供給出口ａを形成する終端部の高さ位置を上昇せしめるように組み付け支架せしめたことを特徴とする牽引移動式の定量供給装置を提起し、
さらに、上述の牽引移動式の定量供給装置において、機体フレーム３の前傾回動により圃場面ＧＬに前端下縁部が当接してくるボックス４の前面の圃場面ＧＬに、ダンプカーＣの後輪９２に踏み付けさせる平板状の踏み台９０を敷設し、その踏み台９０を、機体フレーム３の前傾回動により前端側の下部を圃場面ＧＬに当接させたボックス４に対し一体的に連結せしめて、ダンプカーＣの重量により傾斜させたボックス４を圃場面に据え付け固定するようにした牽引移動式の定量供給装置を提起し、
さらにまた、上述の牽引移動式の定量供給装置において、床面にフロアコンベア４０を装備せるボックス４の内部で、前記フロアコンベア４０の搬送方向における終端部に設けた排出口４１の上方位置に、該ボックス４の内部を左右に横切る規制パイプ４２を装設し、前記ボックス４の下方には、前記排出口４１から排出される飼料を搬送方向の始端側に受け継いで終端側の定量供給出口ａに搬送する２段目のフロアコンベア５０を、該フロアコンベア５０の搬送方向の始端側が、前記ボックス４内部に装設せる規制パイプ４２の下方に位置するよう配位して機体ｗに装架したことを特徴とする請求項１または請求項２記載の牽引移動式の定量供給装置を提起するものである。
【発明の効果】
【００１０】
本発明による牽引移動式の定量供給装置は、ボックス４に設けた排出口４１から排出される飼料を搬送方向の始端側に受け継いで終端側の定量供給出口ａに搬送する２段目のフロアコンベア５０を、搬送方向が略水平な方向に沿う略水平な姿勢と、搬送方向の始端側から終端側に向け傾斜上昇する傾斜姿勢とに切り換わるように機体に組み付け支架してあって、略水平な姿勢とすることで、トラクタによる移動走行に支障を生ぜしめないようになり、傾斜姿勢とすることで、定量供給出口ａを形成する終端部の高さ位置を高くするようにしているのだから、従来定量供給装置と別に用意しておいた揚程の高い定置式コンベアＤを、２段目のフロアコンベアとして、移動に支障を生ぜしめない形態で、機体に組み込んだことになり、トラクタによる牽引走行を容易にして、定量供給出口の高さ位置を高くし得るようになる。
【図面の簡単な説明】
【００１１】
【図１】従前の牽引移動式の定量供給装置の、作業状態時における一部縦断した側面図である。
【図２】同上定量供給装置の作業状態時における縦断後面図である。
【図３】同上定量供給装置の、細断型コンビラップマシンに飼料を供給する作業状態時における一部縦断した側面図である。
【図４】同上定量供給装置の、同上作業状態時における平面図である。
【図５】本発明を実施せる牽引移動式の定量供給装置の、トラクタにより牽引して走行している状態時の一部縦断した側面図である。
【図６】同上定量供給装置の、２段目のフロアコンベアを傾斜姿勢に切り換えて、定量供給出口を形成する終端部を上昇させた状態として、細断型コンビラップマシンのホッパに飼料を供給している状態時の一部縦断した側面図である。
【発明を実施するための形態】
【００１２】
次に実施の形態を実施例につき図面に従い詳述する。
【実施例１】
【００１３】
図５・図６は本発明を実施せる牽引移動式定量供給装置を示し、図５は同上牽引移動式定量供給装置の、トラクタに牽引させて移動する状態時の一部縦断した側面図、図６は同上装置の、ダンプカーの荷台から放出される飼料を受け入れて細断型コンビラップマシンに定量供給している供給作業時の縦断側面図である。
【００１４】
図５において、Ｗは牽引移動式定量供給装置の全体を示し、ｗは、車体フレーム２とこれに支点軸Ｐを介し前後に傾斜回動自在に支架せる機体フレーム３とで構成する機体を示す。４はその機体ｗの上部側に装架せしめた荷箱状のボックス、４０はそのボックス４の床面に装架した１段目のフロアコンベア、５は機体ｗの下部側に装架せる樋状の枠体、５０はその枠体５の床面に装架した２段目のフロアコンベアを示す。
【００１５】
車体フレーム２は、左右の桁杆と前後の枠杆とで平面視において四角な囲い枠状に形成してあり、前端側には、連結器２０を備えた牽引杆２１が、図５にあるよう前方に突出する状態と、図６にあるよう車体フレーム２内に引き込まれた状態とに切り換わるよう伸縮自在に設けられ、また、後端側には左右に走行輪２２が軸支してあって、これにより、前端側の連結器２０をトラクタＴの後部ヒッチに連結することで、トラクタＴの運転走行により、牽引されて自在に走行移動し得るようにしてある。
【００１６】
機体フレーム３は、前記車体フレーム２の、左右の桁杆の前後の中間部位に渡架するように軸支した支点軸Ｐにより車体フレーム２に対し前後に回動自在に軸架してあり、この支点軸Ｐと、機体フレーム３の前端側で上下の中間部位に設けた連結部と車体フレーム２の前端部との間に渡架した油圧シリンダ６とにより、車体フレーム２に対し所定の姿勢を保持して支持されるよう支架してあり、その油圧シリンダ６を伸長作動させることで、図６にあるように、機体フレーム３が略垂直な姿勢となり、また、油圧シリンダ６を収縮作動させることで、図６にあるよう前方に向け起立回動して傾斜姿勢となるようにしてある。
【００１７】
この機体フレーム３の上部側に支架したボックス４は、ダンプカーＣの荷台ｃから放出される飼料を受け入れて、フロアコンベア４０により排出口４１から定量的に排出させて、細断型コンビラップマシンＢに供給する定量供給装置を構成するものであり、従前のダンプボックスと呼ばれる定量供給装置のボックスと同様に機筐状に形成され、内部の床面には、駆動軸に設けた油圧モータを圧油の送給で作動させることで、前後方向にエンドレスに回動するフロアコンベア４０が装架してある。そして、このボックス４は、床面に設けたフロアコンベア４０が、略水平な姿勢となった状態で、略垂直な姿勢に保持された機体フレーム３に支架されるように、その機体フレーム３の上部側に支持されている。また、このボックス４の床面の後端側で、前記フロアコンベア４０の搬送方向の終端部の後方部位に、排出口４１が開設してあり、この排出口４１の上方で、前述のフロアコンベア４０の終端部の上方に位置する部位には、前記コンベア４０で排出口４１に向け搬出される飼料の上層部に接触して、飼料の堆積高さを制限し、排出量を制御・規制する規制パイプ４２が、ボックス４の左右の側壁間に渡架されるように装設してある。
【００１８】
機体フレーム３の下部側に装架せる樋状の枠体５は、前述のボックス４の床面の後端側に開設した排出口４１から落下してくる飼料を受けて搬送する２段目のフロアコンベア５０を支架せしめるための支持機枠である。この２段目のフロアコンベア５０は、前述の１段目のフロアコンベア４０と同様に、駆動軸に設けた油圧モータを圧油の送給で作動させることで、前後方向にエンドレスに回動して、ボックス４内のフロアコンベア４０の流端部から放出される飼料を受け継いで搬送するよう作動するコンベアであり、図１・図２に示している従前のダンプボックスと呼ばれる定量供給装置Ａの、横送りコンベア１４に対応するコンベアであって、該フロアコンベア４０の終端部で形成する放出口が、定量供給出口ａとなるコンベアである。
【００１９】
このボックス４のフロアコンベア４０の終端部から放出される飼料を受け継いで搬送する２段目のフロアコンベア５０は、従前手段にあっては、横送りコンベアとして、搬送方向をボックス１内の床面に設けたフロアコンベア１１の搬送方向と直交する方向としているが、本発明手段の実施例においては、搬送方向を、ボックス４内に設ける１段目のフロアコンベア４０の搬送方向と同じ方向とし、かつ、図５にあるように、機体フレーム３の上端側に支架したボックス４内のフロアコンベア４０の下方において、そのフロアコンベア４０と平行して水平な姿勢で後方に向け突出する状態に装架せしめるようにしている。
【００２０】
このため、この２段目のフロアコンベア５０の支持機枠である樋状の枠体５は、樋状をなす左右の側板５ａ及び床板５ｂが前後方向に長く連続する前後に長い形態のものに形成してあり、かつ、前述のボックス４と平行して水平な姿勢をもって機体フレーム３の後面側から後方に向け突出するように機体フレーム３に装架してある。
【００２１】
そして、この支持機枠となる樋状の枠体５内に装架する前述の２段目のフロアコンベア５０は、それの搬送方向の始端側が、機体フレーム３を前後に傾斜回動自在に軸支する支点軸Ｐの後方で、その支点軸Ｐの近傍位置を占め、終端部が枠体５の後端側に形成した開放口の手前に位置するように配位して装架してある。
【００２２】
この２段目のフロアコンベア５０は、機体フレーム３を、油圧シリンダ６の収縮作動により支点軸Ｐ中心に前方に回動させたとき、機体フレーム３と一緒に回動し、支点軸Ｐの近傍に位置する始端部を略回動中心として、図６において左まわりに起立回動し、始端側を基点として終端側が斜め後方上方に向かう傾斜姿勢となり、これにより、終端部が始端側よりも高い位置を占める状態となって、処理装置Ｂに対し飼料を供給する定量供給出口ａとなるこの終端部の高さ位置が上昇してくるようにしている。
【００２３】
そして、２段目のフロアコンベア５０は、この機体フレーム３の傾斜回動に追従して行われる傾斜姿勢への変換によって上昇してくる終端部が、処理装置Ｂのホッパｂの上面側の開放口に対し飼料を供給し得る高さ位置となるように、回動支点軸Ｐから終端部までの搬送方向の長さを設定している。
【００２４】
即ち、図６にあるように、フロアコンベア５０が支点軸Ｐ中心に起立回動したときに、それにより上昇する定量供給出口ａを形成する終端部が、通常約２ｍの高さとなっている処理装置Ｂのホッパｂの上面の開放口より、上方に越した高さ位置を占めるようになるまで上昇してくるように、支点軸Ｐから該フロアコンベア５０の終端部までの長さを設定している。
【００２５】
傾斜角度を大きくすれば、フロアコンベア５０は搬送方向の長さを短く設定してよく、また、フロアコンベア５０の搬送方向の長さを長くすれば、傾斜角度は小さく設定してよい。
【００２６】
図示する実施例では、機体フレーム３を、油圧シリンダ６の収縮作動により支点軸Ｐ中心に前方に回動させて、その機体フレーム３の上部側に支架してあるボックス４の前端部が圃場面ＧＬに当接して回動が阻止される限度まで回動させたときの略４５度の角度を基準とし、この角度に傾斜回動させたときに、終端部が約２ｍの高さ位置に上昇してくるようにフロアコンベア５０の長さを設定している。
【００２７】
また、この２段目のフロアコンベア５０を支持する樋状の枠体５の左右の側板と、ボックス４の後端側における左右の側板との間には、ボックス４の排出口４１から落下する飼料を、枠体５内のフロアコンベア５０の始端側の部位に向け巾寄せするように誘導案内するすべり板７が、機体フレーム３を補強するように渡架連結してあり、さらに、ボックス４の下面側には、排出口４１より前方に寄る部位から枠体５の内腔の始端側に向けて垂下するすべり板８が、ボックス４の下面と枠体５の上面との間の空間を前後に仕切るように垂設してある。
【００２８】
９は、機体フレーム３の前傾回動で、支架せるボックス４の前端側が圃場面ＧＬに当接するまで前方に傾斜回動させて、枠体５に支架せる２段目のフロアコンベア５０の終端部の高さ位置を、図６にあるように、処理装置Ｂのホッパｂの上面側の開放口の上方に位置する所定の高さ位置に上昇させ、この状態において、ダンプカーＣの荷台ｃに搭載してきた飼料をボックス４内に受け入れて、処理装置Ｂに対し定量供給する作業を行う場合において、寄せてきたダンプカーＣが荷台ｃをダンプ回動させて飼料を牽引移動式の定量供給装置Ｗのボックス４内に投入するときに、定量供給装置Ｗが荷台ｃから投入される飼料で押されて動くことのないよう、定量供給装置Ｗを固定する固定支持手段を示す。
【００２９】
固定支持手段９は、この例においては、圃場面ＧＬに平らに設置される前後に長い平板状に形成した踏み台９０と、それの基端側となる後端側に、ボックス４の前端側の下縁部に装設される連結器４３に対して装脱自在に連結するよう設けられる連結部材９１とで構成している。
【００３０】
この固定支持手段９は、傾斜回動させて接地状態としたボックス４の前面側の圃場面に、踏み台９０を敷き込むように配置し、基端側の連結部材９１をボックス４に設けた連結器４３に組み付け連結し、先端側がボックス４の前面において前方に長く突出する状態として、ボックス４に対し一体的に連結しておき、荷台ｃに飼料を載架したダンプカーＣが、ボックス４の前面側に寄せられてきたときに、そのダンプカーＣの後輪９２が、踏み台９０の上にのり上がって踏圧するようにしてダンプカーＣの重量によりボックス４を動かないように据え付け固定する。
【００３１】
このように構成しているこの実施例の定量供給装置Ｗは、ボックス４の床面に設けたフロアコンベア４０で搬送されて、排出口４１から定量的に制御されて落下する飼料を受け継いで、定量供給出口ａに送り出すフロアコンベア５０が、２段目のフロアコンベアとして、機体フレーム３に、ボックス４の床面のフロアコンベア４０と平行して前後方向に沿う姿勢として支架してあるのだから、車体フレーム２の前端に設けた牽引杆２０をトラクタＴに連結して定量供給装置Ｗを走行移動させるときに、移動の邪魔になることがなく、定量供給装置Ｗの移動を容易なものとする。
【００３２】
そして、ダンプカーＣで運ばれてきた飼料を、定量供給装置Ｗで、供給量を定量的に制御して処理装置Ｂに供給するときは、機体フレーム３を前傾させることで、この２段目のフロアコンベア５０が起立回動して、定量供給出口ａを形成する終端部が処理装置Ｂのホッパｂの上面開放口より高い位置を占めるまでに上昇して、従前の別おきに用いる、終端部の定量供給出口ａの位置を高くした定置式コンベアＤとして機能するものに切り換わってくる。
【００３３】
従って、この本発明による牽引移動式の定量供給装置Ｗは、従来、別に用意しておいた揚程の高い定置式コンベアＤを、２段目のフロアコンベア５０として、移動に支障のない形態で機体に組み込んだことになり、トラクタＴによる牽引移動を容易にして、定量供給出口ａの高さ位置を高くした定量供給装置を構成するようになる。
【符号の説明】
【００３４】
Ａ    定量供給装置
Ｂ    細断型コンビラップマシン（処理装置）
Ｃ    ダンプカー
Ｄ    定置式コンベア
ＧＬ  圃場面
Ｐ    支点軸
Ｔ    トラクタ
Ｗ    牽引移動式定量供給装置
ａ    定量供給出口
ｂ    ホッパ
ｃ    荷台
ｗ    機体
１    ボックス
１０    走行輪
１１    フロアコンベア
１２    ビーター
１３    排出口
１４    横送りコンベア
１５    牽引杆
２    車体フレーム
２０    連結器
２１    牽引杆
２２    走行輪
３    機体フレーム
４    ボックス
４０    １段目のフロアコンベア
４１    排出口
４２    規制パイプ
４３    連結器
５    枠体
５ａ  側板
５ｂ  床板
５０    ２段目のフロアコンベア
６    油圧シリンダ
７  ８    すべり板
９    固定支持手段
９０    踏み台
９１    連結部材
９２    後輪
【図１】
0005507143.tif 000002
【図２】
0005507143.tif 000003
【図３】
0005507143.tif 000004
【図４】
0005507143.tif 000005
【図５】
0005507143.tif 000006
【図６】
0005507143.tif 000007